(57)【要約】【課題】壁等に設置されている空気調和機等の送風機を改造することなく、該送風機の運転に連動し、該送風機が発生する風を利用してイオンを効率よく居住空間内に拡散することができるイオン発生装置を提供する。【解決手段】空気の流入口４と、空気の流出口５１，５２と、流入口４から流入し流出口５１，５２から流出する空気にイオンを放出するイオン発生器２と、振動を検出する振動センサ１０と、振動センサ１０の検出情報に基づいてイオン発生器２の作動を制御する制御手段１３とを備えている。振動センサ１０は磁石１１によって空気調和機に固定され、配線部１２によって制御手段１３に接続されている。制御手段１３は、空気調和機の運転開始に伴い発生する振動が振動センサ１０で検出されると、イオン発生器２を作動させ、振動が振動センサ１０で検出されないと、イオン発生器２の作動を停止させる。【選択図】図７
2012113861.tif 000002
【特許請求の範囲】
【請求項１】
外部からの空気の流入が可能な流入口と、外部への空気の流出が可能な流出口と、前記流入口から流入し前記流出口から流出する空気にイオンを放出するイオン発生器とを備えたイオン発生装置において、
外部の物理的状態を検知する検知手段と、
該検知手段の検知情報に基づいて前記イオン発生器の作動を制御する制御手段とを備えていることを特徴とするイオン発生装置。
【請求項２】
前記検知手段は、対象物の振動を検出する振動検出手段であることを特徴とする請求項１に記載のイオン発生装置。
【請求項３】
前記振動検出手段は、前記対象物に固定可能な固定手段を備えていることを特徴とする請求項２に記載のイオン発生装置。
【請求項４】
前記固定手段は、前記対象物に磁着する磁石であることを特徴とする請求項３に記載のイオン発生装置。
【請求項５】
前記流入口及び流出口を有し、前記イオン発生器及び制御手段を収容するケーシングと、該ケーシングに基端部が支持され、先端部に前記検知手段が保持された配線部とを備え、該配線部によって前記制御手段と検知手段とが接続されていることを特徴とする請求項１から４の何れか１項に記載のイオン発生装置。
【請求項６】
前記ケーシングを天井に取り付け、該天井に対する取付面に基端部が支持された前記配線部を前記天井に開けた貫通孔に通してあり、
前記天井に設置され、該天井より上側の空間に露出している送風機に前記振動検知手段を固定してあることを特徴とする請求項５に記載のイオン発生装置。
【発明の詳細な説明】
【技術分野】
【０００１】
本発明は、他の空気調和機等の送風機の運転に連動して動作するイオン発生装置、特に壁等に設置された送風機の吹出口に隣り合うように設置されるイオン発生装置に関する。
【背景技術】
【０００２】
近年、イオンによって居住空間内の空気を清浄化する空気清浄機が実用化されている。空気清浄機では、外部から吸い込んだ空気が流れる通風路内にプラスイオン及びマイナスイオンを発生させるイオン発生器が配設され、発生したイオンを吹き出し空気と共に外部へ放出させている。放出されたイオンは、室内等の居住空間において空気中の浮遊粒子を不活性化させ、浮遊細菌（カビ菌等）を死滅させると共に臭気成分を変性させる。その結果、居住空間内の空気が清浄化される。
【０００３】
特許文献１には、室内機にプラズマ発生器（イオン発生器）を備えた天井埋込型空気調和機が開示されている。プラズマ発生器からは、イオン、オゾン、ヒドロキシラジカルなどが生成され、臭気成分、菌、ウイルスを分解し、無害化する。
【先行技術文献】
【特許文献】
【０００４】
【特許文献１】特開２００６−２９６６５号公報
【発明の概要】
【発明が解決しようとする課題】
【０００５】
空気清浄機能を有する天井埋込型空気調和機では、予めイオン発生器を内蔵している。イオン発生器を内蔵していない天井埋込型空気調和機にイオン発生器を設ける場合には、既に設置されている天井埋込型空気調和機の大規模な改造が必要となる。
【０００６】
本発明は、上述したような事情に鑑みてなされたものであり、壁等に設置されている空気調和機等の送風機を改造することなく、該送風機の運転に連動して送風機が発生する風を有効に利用し、イオンを効率よく居住空間内に拡散することができるイオン発生装置を提供することを目的とする。
【課題を解決するための手段】
【０００７】
本発明に係るイオン発生装置は、外部からの空気の流入が可能な流入口と、外部への空気の流出が可能な流出口と、前記流入口から流入し前記流出口から流出する空気にイオンを放出するイオン発生器とを備えたイオン発生装置において、外部の物理的状態を検知する検知手段と、該検知手段の検知情報に基づいて前記イオン発生器の作動を制御する制御手段とを備えていることを特徴とする。
【０００８】
本発明においては、外部の物理的状態を検知する検知手段の検知情報に基づいて、流入口から流入し流出口から流出する空気にイオンを放出するイオン発生器の作動を制御手段が制御する。例えば外部の送風機の運転開始に伴って生じる外部の物理的状態の変化を検知して、外部の送風機の運転開始を判断し、イオン発生器を作動させる。外部の物理的状態が元の状態に戻ると、イオン発生器の作動を停止させる。
【０００９】
本発明に係るイオン発生装置は、前記検知手段は、対象物の振動を検出する振動検出手段であることを特徴とする。
本発明においては、振動検出手段によって対象物の振動が検出されると、イオン発生器を作動させ、振動が検出されないときは、イオン発生器の作動を停止させる。例えば外部の送風機の運転開始に伴って発生する筺体の振動を物理的状態として検知することにより、外部の送風機の運転の有無を判断することができる。
【００１０】
本発明に係るイオン発生装置は、前記振動検出手段は、前記対象物に固定可能な固定手段を備えていることを特徴とする。
本発明においては、振動検出手段が固定手段によって対象物に固定されるので、振動検出手段による対象物の振動の検出を精度良く行うことができる。
【００１１】
本発明に係るイオン発生装置は、前記固定手段は、前記対象物に磁着する磁石であることを特徴とする。
本発明においては、振動検出手段を磁石の磁力によって対象物に磁着して固定するので、磁着可能な鉄製等の部分を備えた対象物に対して簡単な操作で確実に振動検出手段を固定することができる。
【００１２】
本発明に係るイオン発生装置は、前記流入口及び流出口を有し、前記イオン発生器及び制御手段を収容するケーシングと、該ケーシングに基端部が支持され、先端部に前記検知手段が保持された配線部とを備え、該配線部によって前記制御手段と検知手段とが接続されていることを特徴とする。
【００１３】
本発明においては、前記流入口及び流出口を有し、前記イオン発生器及び制御手段を収容するケーシングに基端部が支持された配線部の先端部に保持された前記検知手段によって外部の物理的状態を検知し、該検知手段の検知情報に基づいて、配線部によって前記検知手段と接続されている制御手段がイオン発生器の作動を制御する。例えばケーシングから離隔した箇所に設置されている外部の送風機等の運転開始に伴う外部の物理的状態の変化を適切に検知することができる。
【００１４】
本発明に係るイオン発生装置は、前記ケーシングを天井に取り付け、該天井に対する取付面に基端部が支持された前記配線部を前記天井に開けた貫通孔に通してあり、前記天井に設置され、該天井より上側の空間に露出している送風機に前記振動検知手段を固定してあることを特徴とする。
本発明においては、天井に取り付けたケーシングの取付面に基端部が支持された配線部が天井に開けた貫通孔を通り、天井より上側の空間に露出している送風機に配線部の先端部に保持された振動検知手段が固定してある。
従って、天井に既に設置されている送風機を改造する必要もなく、天井より上側の空間（天井裏）に突き出た送風機に振動検知手段を容易に取り付けることができる。また、イオン発生装置と送風機とを結ぶ配線部が室内から見えないので美観上も好ましい。
【発明の効果】
【００１５】
本発明によれば、外部の送風機の運転開始に伴う外部の物理的状態の変化を検知して外部の送風機の運転開始を判断し、イオン発生器を作動させるので、壁等に設置されている空気調和機等の送風機を改造することなく、該送風機の運転に連動して該送風機が発生する風を有効に利用し、流入口から流入し流出口から流出する空気にイオンを放出して効率よく居住空間内にイオンを拡散することができるイオン発生装置が提供される。
【図面の簡単な説明】
【００１６】
【図１】本発明の実施の形態１に係るイオン発生装置の斜視図である。
【図２】図１に示すイオン発生装置の側面図である。
【図３】図１に示すイオン発生装置の下面図である。
【図４】図１に示すイオン発生装置のカバー部を取り外した状態の下面図である。
【図５】イオン発生器の一例を模式的に示す平面図である。
【図６】図１のイオン発生装置のカバー部を開いた状態を示す側面図である。
【図７】図３のＶＩＩ−ＶＩＩ線における側面断面図である。
【図８】図３のＶＩＩＩ−ＶＩＩＩ線における側面断面図である。
【図９】図１のイオン発生装置の制御構成のブロック図である。
【図１０】図１のイオン発生装置の設置状態を示す天井部分の平面図である。
【図１１】図１のイオン発生装置の設置構造を示す天井部分の側面断面図である。
【図１２】本発明の実施の形態２に係るイオン発生装置の設置構造を示す天井部分の側面断面図である。
【発明を実施するための形態】
【００１７】
以下、本発明に係るイオン発生装置の実施の形態について図面に基づいて説明する。
（実施の形態１）
図１は本発明の実施の形態１に係るイオン発生装置の斜視図、図２は図１に示すイオン発生装置の側面図、図３は図１に示すイオン発生装置の下面図、図４は図１に示すイオン発生装置のカバー部を取り外した状態の下面図、図５はイオン発生器の一例を模式的に示す平面図、図６は図１のイオン発生装置のカバー部を開いた状態を示す側面図、図７は図３のＶＩＩ−ＶＩＩ線における側面断面図、図８は図３のＶＩＩＩ−ＶＩＩＩ線における側面断面図である。尚、図７及び図８は図１のイオン発生装置の構造及び動作を示す。
【００１８】
本実施形態に係るイオン発生装置１は、略直方体形状で一方向に長いベース部３１と、ベース部３１を下側から覆うカバー部３２とを有するケーシング３を備えている。尚、本発明のイオン発生装置１は、後述のように、カバー部３２が下側になる状態でベース部３１の上面を天井等に取り付けるので、ベース部３１の上面を取付面３１ａとする。
【００１９】
ベース部３１の下面には略直方体形状の２個のイオン発生器２を夫々固定するための固定部材３３が長手方向に離間した２箇所に設けてある。それぞれの固定部材３３は、変形しない鉤状の第１の係止部３３１と、先端に鉤部を有する変形可能な第２の係止部３３２とを備えている。イオン発生器２は第１の係止部３３１と第２の係止部３３２とにより側面及び下側縁部が係止されている。
【００２０】
イオン発生器２は、略直方体の箱状をなし、一面側に４つのイオン発生部２１，２２を備えている。各イオン発生部２１，２２は針状を成す放電電極２１ａ，２２ａと、放電電極２１ａ，２２ａを囲繞する誘導電極環２１ｂ，２２ｂとを有し、放電電極２１ａ，２２ａはそれぞれ誘導電極環２１ｂ，２２ｂの中心部に配される。イオン発生器２の内部に、イオン発生部２１，２２に高電圧を供給する給電部２３が設けられ、給電部２３から各イオン発生部２１，２２に不図示の配線によって高電圧を供給することによってイオン発生部２１，２２がイオンを発生する。尚、給電部２３は外部の電圧源（不図示）から入力される交流電圧又は直流電圧を高電圧に変換し、イオン発生部２１，２２に供給する。
【００２１】
以下に説明するように、一方のイオン発生部２１がプラスイオンを発生し、他方のイオン発生部２２がマイナスイオンを発生するように構成されている。
一方のイオン発生部２１には放電電極２１ａが正となる電圧が印加され、放電によるプラズマ領域で空気中の水分子が電気的に分解して主として水素イオンＨ+ が生成される。そして、生成された水素イオンＨ+ の周りに空気中の水分子が凝集し、正のクラスターイオンＨ+ （Ｈ2 Ｏ）ｍ（ｍは任意の整数）（以下、「プラスイオン」とする）が形成される。他方のイオン発生部２２には放電電極２２ａが負となる電圧が印加され、放電によるプラズマ領域で空気中の酸素分子が電気的に分解して主として酸素イオンＯ2-が生成される。そして、生成された酸素イオンＯ2-の周りに空気中の水分子が凝集し、負のクラスターイオンＯ2-（Ｈ2 Ｏ）ｎ（ｎは任意の整数）（以下、「マイナスイオン」とする）が形成される。
【００２２】
本実施形態では、プラスイオンを発生させるイオン発生部２１及びマイナスイオンを発生させるイオン発生部２２を備えたイオン発生器２を用いたが、他に、マイナスイオンのみを発生させるイオン発生器や、その他のイオンを発生させるイオン発生器を用いてもよい。また、イオン発生器２のイオン発生部２１，２２から発生するイオンの極性を所定時間毎に切り換えてもよい。
【００２３】
カバー部３２は、側面視で略逆三角形の形状を有し、ベース部３１の長手方向に沿って伸びた形状を有している。カバー部３２は、逆三角形の２辺に対応する第１の傾斜面３４及び第２の傾斜面３５と、第１の傾斜面３４及び第２の傾斜面３５の両端部に位置する側面３６とを形成する板材で構成されている。
【００２４】
第１の傾斜面３４には、スリット状の開口部Ｓがカバー部３２の長手方向に複数個形成（並設）されている。スリット状の開口部Ｓは並設方向での幅が並設方向で隣り合う端部間の離隔距離よりも広い。スリット状の開口部Ｓの一方側（取付面３１ａとの距離が短い側）が流入口４となり、スリット状の開口部Ｓの他方側（取付面３１ａとの距離が長い側）が第１の流出口５１となる。即ち、本実施形態においては、流入口４と第１の流出口５１とが一つの連なったスリット状の開口部Ｓを形成している。
【００２５】
第１の傾斜面３４の端部と取付面３１ａとを繋ぐケーシング部分である第２の傾斜面３５にはスリット状の第２の流出口５２が備えられる。尚、第２の流出口５２の形状はスリット状に限らず、例えば１つ又は複数の矩形状の開口部等の形状をしていてもよい。
【００２６】
ベース部３１の下面とカバー部３２の内壁面とにより、流入口４と第１の流出口５１及び第２の流出口５２とを結ぶ通風路７が形成される。第１の傾斜面３４と第２の傾斜面３５とが繋がる逆三角形の頂点部には、カバー部３２の内側から通風路７内へ略鉛直上方に伸び、流入口４から流入した空気流を第１の流出口５１に導く遮風板６が備えられる。遮風板６はカバー部３２の長手方向に沿って伸びた形状を有している。なお、遮風板６は鉛直上方に伸びるものに限るものではなく、第１の流出口５１に風を導く形であれば他の形をしていてもよい。
【００２７】
カバー部３２の両側面３６の上部には、孔が開いた耳部３６ａが延設されている。一方、ベース部３１の長手方向両端には支点軸３１１が備えられている。カバー部３２の耳部３６ａの孔はベース部３１の支点軸３１１に嵌り、カバー部３２は支点軸３１１を中心として、ベース部３１に対して回動することができる。図６にカバー部３２が下側に９０°開いた状態のイオン発生装置１の側面図を示す。
【００２８】
ベース部３１の支点軸３１１とは反対側の端部にはマグネット３１２が備えられており、カバー部３２にはベース部３１のマグネット３１２に対応した位置にマグネット３２１が備えられている。カバー部３２が閉まった状態のときは、カバー部３２のマグネット３２１と、ベース部３１のマグネット３１２とが引き合うことで、カバー部３２が閉まった状態を維持できる。このようにカバー部３２を回動可能とすることで、イオン発生器２を容易に交換及び清掃することができる。
【００２９】
なお、マグネットはイオン発生装置１の長手方向において、イオン発生器２のイオン発生部２１、２２と重ならない位置に備えられている。なるべく、イオンがマグネットに吸収され、イオン濃度が低下するのを防止するためである。
【００３０】
ベース部３１の取付面３１ａに基端部が支持された配線部１２が設けられ、外部の対象物の振動を検出する振動センサ１０が配線部１２の先端部に保持されている（図１、図７）。配線部１２は金具１２Ａによって取付面３１ａ側の凹部３１ｂに固定されている。更に振動センサ１０には、磁石１１が締結され固定されている。磁石１１を対象物の鉄製の筺体等に磁力によって付着（磁着）させることで振動センサ１０が対象物に固定される。尚、図２、図６では、配線部１２等の図示を省略している。
【００３１】
ベース部３１の内部に制御部１３が設けられ、振動センサ１０は配線部１２によって制御部１３に接続され、また、制御部１３と給電部２３とが配線１４によって接続されている。図９は図１のイオン発生装置の制御構成のブロック図である。振動センサ１０の検出信号が制御部１３に入力され、また制御部１３から給電部２３にイオン発生部２１，２２を駆動するための駆動信号が出力される。
【００３２】
次に、本実施形態に係るイオン発生装置１の設置形態について説明する。図１０は図１のイオン発生装置の設置状態を示す天井部分の平面図、図１１は図１のイオン発生装置の設置構造を示す天井部分の側面断面図である。
【００３３】
本実施形態に係るイオン発生装置１は天井埋込型空気調和機９の吹出口９１近傍の天井８に設置され、天井より上側の空間（天井裏）に筺体が露出している。天井埋込型空気調和機９は空気を４方向に吹き出す４個の吹出口９１を備えている。イオン発生装置１は、天井埋込型空気調和機９の吹出口９１に近い側に第１の傾斜面３４が位置するようにそれぞれの吹出口９１に対して設置してある。尚、天井８には既に照明等が設置されていることもあり、必ずしも全ての吹出口９１に対してイオン発生装置１を設置できるわけではないため、一部の吹出口９１に対してのみ取り付けてもよい。
【００３４】
イオン発生装置１は天井埋込型空気調和機９が設置された天井８の近傍に、ベース部３１の上側の取付面３１ａを天井８の壁に対向させた状態で取り付けて固定されている。固定には固定ボルト８１が使用されている。固定ボルト８１は、ベース部３１側からベース部３１に空けられた孔と、天井８に空けられた孔とを貫通し、天井の裏面側からナット８２で固定されている。ベース部３１の取付面３１ａ側の凹部３１ｂに対向する天井８に、配線部１２が通る貫通孔８ａが開けられ、貫通孔８ａを通る配線部１２の先端の振動センサ１０に備えた磁石１１が天井裏に露出している天井埋込型空気調和機９の側面の筺体に磁着して固定されている。
【００３５】
天井埋込型空気調和機９は、吸込口９５と、送風機のファン９４と、熱交換器９３と、吹出口９１とを備える。天井埋込型空気調和機９の運転時は、送風機９４によって吸込口９５から室内の空気を吸い込み、熱交換機９３を通して、吹出口９１から調和空気を吹き出す。吹出口９１には風向変更板９２が設置されている。
【００３６】
天井埋込型空気調和機９が運転を開始すると、送風機のファン９４が回転して振動が発生し、発生した振動が筺体に伝わり、振動センサ１０によって検出される。振動センサ１０の振動検出信号が制御部１３に入力されると、制御部１３から給電部２３にイオン発生部２１，２２に高電圧を出力するための駆動信号が出力され、イオン発生部２１，２２からイオンが放出される。振動センサ１０が振動を検出している間、イオン発生部２１，２２はイオンを放出する。天井埋込型空気調和機９が運転を停止すると、振動センサ１０が振動を検出しなくなるので、この振動不検出と同時又は所定時間経過後に、制御部１３から給電部２３にイオン発生部２１，２２への高電圧の出力を停止するための駆動信号が出力され、イオン発生部２１，２２からイオンの放出が停止する。
【００３７】
天井埋込型空気調和機９によって調和空気は、イオン発生装置１の第１の傾斜面３４に向かって吹き出される。吹き出される調和空気は、矢印に示す通り、第１の傾斜面３４に沿って流れる。また、第１の傾斜面３４の流入口４がある部分では図７の矢印に示す通り、流入口４からイオン発生装置１の内部の通風路７に調和空気が流入する。
【００３８】
ここで、イオン発生器２によって発生させられたイオンはイオン風により、イオン発生器２のイオン発生部２１，２２から下向きに放出される。流入口４から流入した調和空気は、通風路７を流れるときにイオン発生器２が発生させたイオンが付加されて、第１の吹出口５１及び第２の吹出口５２からイオン発生装置１の外部へと放出される。
【００３９】
イオンを含んだ調和空気の一部は、遮風板６に当たり、第１の流出口５１へと導かれ、第１の流出口５１から流出する。第１の流出口５１から流出したイオンを含んだ調和空気は、第１の傾斜面３４に沿って流れる調和空気と合流し、室内に吹き出される。また、イオンを含んだ調和空気の残りは、第２の流出口５２から流出する。第１の流出口５１から流出したイオンを含んだ調和空気及び第２の流出口５２から流出したイオンを含んだ調和空気により、イオンを効率よく室内に拡散することができる。
【００４０】
このようにして、イオン発生装置１のイオン発生部２１，２２の作動を天井埋込型空気調和機９の運転に連動させることが出来る。その結果、天井埋込型空気調和機９の運転停止時はイオンを効率よく室内に拡散することが困難であるので、このような場合にイオン発生部２１，２２の作動を停止することは省エネにもなるし、さらに放電電極２１ａ，２２ａの電極寿命を延ばすこともできる。
【００４１】
また傾斜面３４に流入口４を設けることによって、傾斜面３４に沿うように天井埋込型空気調和機９の吹出口９１から吹き出された調和空気が、傾斜面３４に沿って流れる空気と、イオン発生装置１の流入口４からイオン発生装置１内に入る空気とに分けることができる。そして、天井埋込型空気調和機９の吹出口９１から吹き出された調和空気の流れ方向で流入口４よりも下流側位置の傾斜面３４に、第１の流出口５１を設けることによって、イオン発生装置１の内部に流入し、イオンが付加された空気の一部は、第１の流出口５１から流出し、再び傾斜面３４に沿って流れる空気と合流することができる。
【００４２】
本実施形態１では、流入口４と第１の流出口５１とが連なったスリット状の開口部Ｓを形成しているので、傾斜面３４に沿って流れる調和空気の流量、流速、方向等に対応して、流入口４となる開口部Ｓの部分と第１の流出口５１となる開口部Ｓの部分との割合を変化させることができる。流入口４となる開口部Ｓの部分割合が大きくなると、イオン発生装置１内に入る空気の量が増加するため、イオン発生装置１内でイオンが付加され、第１の流出口５１及び第２の流出口５２から外部により多くのイオンを含む空気を流出させることができる。
【００４３】
尚、図示はしないが、流入口４と第１の流出口５１とがそれぞれ連通しない単独のスリット状の開口部に形成してもよい。この場合には、傾斜面３４に設けられた流入口４の面積を調整することで、イオン発生装置１内に入る空気の量を調整することができる。流入口４の面積を大きくするとイオン発生装置１の中に入る空気の量が増えるため、イオン発生装置１内でより多くのイオンを発生させることができる。
【００４４】
第１の流出口５１から流出する調和空気の量と、第２の流出口５２から流出する調和空気の量の割合は、遮風板６の長さを調整することで変更することができる。遮風板６を長くすれば、第１の流出口５１から流出する調和空気の風量の割合が増え、遮風板６を短くすれば、第１の流出口５１から流出する調和空気の風量の割合が減る。
【００４５】
このように、遮風板６を設けることで、第１の流出口５１から吹き出されるイオンを含んだ空気を、傾斜面３４に沿って流れる空気に合流させ、室内に拡散することで、遮風板６を設置しないイオン発生装置と比べて効率よく室内にイオンを拡散することができる。
【００４６】
なお、第２の流出口５２を備えていないイオン発生装置１では、流入口４から流入した空気の抜け（外部への流出）が悪くなるため、イオン発生装置１内に入る調和空気が減る。したがって、イオン発生装置１内で発生したイオンを効率よく室内に拡散することができない。
【００４７】
（実施の形態２）
図１２は本発明の実施の形態２に係るイオン発生装置の設置構造を示す天井部分の側面断面図である。本実施の形態２では、ベース部３１の凹部３１ｂの側面に、配線部１２が通る貫通孔３１ｃが開けられ、配線部１２の先端の振動センサ１０に備えた磁石１１が天井埋込型空気調和機９の前面パネル部分に磁着して固定されている点のみが実施の形態１と異なる。実施の形態２では、配線部１２が通る貫通孔８ａを天井８に開けることが不要になる。
【００４８】
上記の実施の形態１−２では、イオン発生装置１に備える検知手段を対象物（空気調和機９）の振動を検出する振動センサ１０で構成したが、振動以外の外部の物理的状態、例えば、空気調和機９から吹き出す吹出し風の圧力を検出する圧力センサや温度（高温又は低温）等を検出する温度センサで構成し、空気調和機９の運転状態を検知するようにしてもよい。また、空気調和機９の運転音を検出する音響センサでもよい。
【００４９】
上記の実施の形態１−２では、検知手段（振動センサ１０）を対象物に固定する固定手段を磁石１１で構成したが、これ以外に、接着剤や粘着テープ等で構成してもよい。
【００５０】
上記の実施の形態１−２では、本発明に係るイオン発生装置１を天井埋込型空気調和機９の吹出口９１近傍の天井８に設置したが、天井埋込型空気調和機に限らず、壁面に設置された送風機に適用することができる。
【符号の説明】
【００５１】
１          イオン発生装置
２          イオン発生器
３          ケーシング
３１ａ      取付面
４          流入口
５１        第１の流出口
５２        第２の流出口
８          天井
８ａ        貫通孔
９          天井埋込型空気調和機（送風機）
１０        振動センサ（振動検出手段、検知手段）
１１        磁石（固定手段）
１２        配線部
１３        制御部（制御手段）
【図１】
2012113861.tif 000003
【図２】
2012113861.tif 000004
【図３】
2012113861.tif 000005
【図４】
2012113861.tif 000006
【図５】
2012113861.tif 000007
【図６】
2012113861.tif 000008
【図７】
2012113861.tif 000009
【図８】
2012113861.tif 000010
【図９】
2012113861.tif 000011
【図１０】
2012113861.tif 000012
【図１１】
2012113861.tif 000013
【図１２】
2012113861.tif 000014